(57)【要約】【課題】電子辞書装置で、テキストビューワをより便利に活用することを可能にする。【解決手段】テキストビューワ画面（メイン画面）Ｇｖにおいて、手書きメモ登録データとして登録されている見出し語（単語）や自作メモ登録データとして登録されている自作の単語と一致する単語が検索された場合は、当該単語は反転表示Ｈにより識別表示される。そして、カーソルキー「↓」１４ｆ２の操作に応じてそのうち任意の単語を反転点滅表示Ｈ′により指定すると、当該指定の単語に一致する前記見出し語（単語）に対応付けられて手書きメモ登録データや自作メモ登録データとして登録されている手書きメモＭｍやＭｍｓが読み出され、手書き入力部（サブ画面）１５に表示される。小説など表示中の書籍のテキストに、過去に手書きメモＭｍ（Ｍｍｓ）を貼り付けた見出し語（単語）と一致する単語があった場合、その手書きメモＭｍ（Ｍｍｓ）を容易に表示させて参照できる。【選択図】      図９
2010102394.tif 000002
【特許請求の範囲】
【請求項１】
主表示部と、手書きの軌跡を入力して表示する手書き入力部とを有する辞書機能を備えた電子装置であって、
複数の単語と当該単語の説明情報とを対応付けて記憶している辞書記憶手段と、
ユーザ操作に応じて、前記辞書記憶手段に記憶されている任意の単語に前記手書き入力部により入力された手書きメモを対応付けて登録する手書きメモ登録手段と、
テキストデータを前記主表示部に表示させるテキスト表示制御手段と、
このテキスト表示制御手段により表示されたテキストデータの中から、前記手書きメモ登録手段により手書きメモを対応付けて登録した単語に対応する単語を検索する手書きメモ対応単語検索手段と、
この手書きメモ対応単語検索手段により検索された単語に対応して前記手書きメモ登録手段により登録されている手書きメモを、前記手書き表示部に表示させる手書きメモ表示制御手段と、
を備えたことを特徴とする辞書機能を備えた電子装置。
【請求項２】
ユーザ操作に応じて入力された自作の単語に前記手書き入力部により入力された手書きメモを対応付けて登録する自作メモ登録手段をさらに備え、
前記手書きメモ対応単語検索手段は、前記テキスト表示制御手段により表示されたテキストデータの中から、前記手書きメモ登録手段により手書きメモを対応付けて登録した単語に対応する単語、および前記自作メモ登録手段により手書きメモを対応付けて登録した自作の単語に対応する単語を検索し、
前記手書きメモ表示制御手段は、前記手書きメモ対応単語検索手段により検索された単語に対応して前記手書きメモ登録手段あるいは前記自作メモ登録手段により登録されている手書きメモを、ユーザ操作に応じて前記手書き表示部に表示させる、
ことを特徴とする請求項１に記載の辞書機能を備えた電子装置。
【請求項３】
前記手書きメモ表示制御手段は、前記手書きメモ対応単語検索手段により検索された単語をユーザ操作に応じて指定する単語指定手段を有し、この単語指定手段により指定された単語に対応して前記手書きメモ登録手段あるいは前記自作メモ登録手段により登録されている手書きメモを、前記手書き表示部に表示させる、
ことを特徴とする請求項２に記載の辞書機能を備えた電子装置。
【請求項４】
前記手書きメモ登録手段は、ユーザ操作に応じて、前記辞書記憶手段に記憶されている任意の単語に前記手書き入力部により入力された手書きメモを複数対応付けて登録し、
前記手書きメモ表示制御手段は、前記手書きメモ対応単語検索手段により検索された単語に対応して前記手書きメモ登録手段により登録されている複数の手書きメモを、前記手書き表示部にユーザ操作に応じて順次表示させる、
ことを特徴とする請求項１ないし請求項３の何れか１項に記載の辞書機能を備えた電子装置。
【請求項５】
主表示部と、手書きの軌跡を入力して表示する手書き入力部と、記憶部とを有する辞書機能を備えた電子装置のコンピュータを制御するためのプログラムであって、
前記コンピュータを、
複数の単語と当該単語の説明情報とを対応付けて前記記憶部に記憶する辞書記憶手段、
ユーザ操作に応じて、前記辞書記憶手段により記憶された任意の単語に前記手書き入力部により入力された手書きメモを対応付けて前記記憶部に登録する手書きメモ登録手段、
テキストデータを前記主表示部に表示させるテキスト表示制御手段、
このテキスト表示制御手段により表示されたテキストデータの中から、前記手書きメモ登録手段により手書きメモを対応付けて登録した単語に対応する単語を検索する手書きメモ対応単語検索手段、
この手書きメモ対応単語検索手段により検索された単語に対応して前記手書きメモ登録手段により登録されている手書きメモを、前記手書き表示部に表示させる手書きメモ表示制御手段、
として機能させるようにしたコンピュータ読み込み可能なプログラム。
【発明の詳細な説明】
【技術分野】
【０００１】
本発明は、手書き文字の入力部を有する電子辞書装置など、辞書機能を備えた電子装置に関する。
【背景技術】
【０００２】
従来の電子辞書装置において、手書き入力部を備え、キー入力された文字列だけでなく、手書き入力部から入力された手書きの文字を文字認識し、これを検索文字列として辞書の見出し語（単語）を検索することができる、手書き入力機能を備えた電子辞書装置が実用されている。
【０００３】
また、従来の電子辞書装置において、外部メモリやＷｅｂサーバから取り込んだ小説などのテキストを、テキストビューワにより表示することができる、テキストビューワ機能を備えた電子辞書装置も実用されている。
【０００４】
一方で、電子化された書籍を表示するための専用の電子書籍表示装置も実用されている（例えば、特許文献１参照。）。
【０００５】
この電子書籍表示装置は、表示している書籍のストーリの登場人物について、ユーザが読み進んでいる位置までの各登場人物とその関係を示す相関図を表示する機能を備えている。
【特許文献１】特開２００１−２６５７９１号公報
【発明の開示】
【発明が解決しようとする課題】
【０００６】
前記従来の電子辞書装置に備えられたテキストビューワ機能では、電子化された書籍を単に表示させることはできるものの、電子辞書装置が従来から持つ機能を便利かつ有効に活用できていない。
【０００７】
本発明は、このような課題に鑑みなされたもので、テキストビューワをより便利に活用することが可能になる辞書機能を備えた電子装置を提供することを目的とする。
【課題を解決するための手段】
【０００８】
請求項１に記載の辞書機能を備えた電子装置は、主表示部と、手書きの軌跡を入力して表示する手書き入力部とを有する辞書機能を備えた電子装置であって、複数の単語と当該単語の説明情報とを対応付けて記憶している辞書記憶手段と、ユーザ操作に応じて、前記辞書記憶手段に記憶されている任意の単語に前記手書き入力部により入力された手書きメモを対応付けて登録する手書きメモ登録手段と、テキストデータを前記主表示部に表示させるテキスト表示制御手段と、このテキスト表示制御手段により表示されたテキストデータの中から、前記手書きメモ登録手段により手書きメモを対応付けて登録した単語に対応する単語を検索する手書きメモ対応単語検索手段と、この手書きメモ対応単語検索手段により検索された単語に対応して前記手書きメモ登録手段により登録されている手書きメモを、前記手書き表示部に表示させる手書きメモ表示制御手段と、を備えたことを特徴としている。
【０００９】
請求項２に記載の辞書機能を備えた電子装置は、前記請求項１に記載の辞書機能を備えた電子装置において、ユーザ操作に応じて入力された自作の単語に前記手書き入力部により入力された手書きメモを対応付けて登録する自作メモ登録手段をさらに備え、前記手書きメモ対応単語検索手段は、前記テキスト表示制御手段により表示されたテキストデータの中から、前記手書きメモ登録手段により手書きメモを対応付けて登録した単語に対応する単語、および前記自作メモ登録手段により手書きメモを対応付けて登録した自作の単語に対応する単語を検索し、前記手書きメモ表示制御手段は、前記手書きメモ対応単語検索手段により検索された単語に対応して前記手書きメモ登録手段あるいは前記自作メモ登録手段により登録されている手書きメモを、ユーザ操作に応じて前記手書き表示部に表示させる、ことを特徴としている。
【００１０】
請求項３に記載の辞書機能を備えた電子装置は、前記請求項２に記載の辞書機能を備えた電子装置において、前記手書きメモ表示制御手段は、前記手書きメモ対応単語検索手段により検索された単語をユーザ操作に応じて指定する単語指定手段を有し、この単語指定手段により指定された単語に対応して前記手書きメモ登録手段あるいは前記自作メモ登録手段により登録されている手書きメモを、前記手書き表示部に表示させる、ことを特徴としている。
【００１１】
請求項４に記載の辞書機能を備えた電子装置は、前記請求項１ないし請求項３の何れか１項に記載の辞書機能を備えた電子装置において、前記手書きメモ登録手段は、ユーザ操作に応じて、前記辞書記憶手段に記憶されている任意の単語に前記手書き入力部により入力された手書きメモを複数対応付けて登録し、前記手書きメモ表示制御手段は、前記手書きメモ対応単語検索手段により検索された単語に対応して前記手書きメモ登録手段により登録されている複数の手書きメモを、前記手書き表示部にユーザ操作に応じて順次表示させる、ことを特徴としている。
【００１２】
請求項５に記載のプログラムは、主表示部と、手書きの軌跡を入力して表示する手書き入力部と、記憶部とを有する辞書機能を備えた電子装置のコンピュータを制御するためのプログラムであって、前記コンピュータを、複数の単語と当該単語の説明情報とを対応付けて前記記憶部に記憶する辞書記憶手段、ユーザ操作に応じて、前記辞書記憶手段により記憶された任意の単語に前記手書き入力部により入力された手書きメモを対応付けて前記記憶部に登録する手書きメモ登録手段、テキストデータを前記主表示部に表示させるテキスト表示制御手段、このテキスト表示制御手段により表示されたテキストデータの中から、前記手書きメモ登録手段により手書きメモを対応付けて登録した単語に対応する単語を検索する手書きメモ対応単語検索手段、この手書きメモ対応単語検索手段により検索された単語に対応して前記手書きメモ登録手段により登録されている手書きメモを、前記手書き表示部に表示させる手書きメモ表示制御手段、として機能させることを特徴としている。
【発明の効果】
【００１３】
本発明によれば、テキストビューワをより便利に活用することが可能になる辞書機能を備えた電子装置を提供できる。
【発明を実施するための最良の形態】
【００１４】
以下図面により本発明の実施の形態について説明する。
【００１５】
本発明の辞書機能を備えた電子装置は、以下に説明する電子辞書専用の携帯機器（電子辞書装置１０）として構成されるか、手書き入力部を備えた辞書機能を有するＰＤＡ(personal digital assistants)、ＰＣ(personal computer)、携帯電話、電子ブック、携帯ゲーム機などとして構成される。
【００１６】
図１は、本発明の実施形態に係る電子辞書装置１０の外観構成を示す正面図である。
【００１７】
この電子辞書装置１０は、その本体ケース１１と蓋体ケース１２とがヒンジ部１３を介して展開／閉塞可能な折り畳み型ケースを備えて構成される。この折り畳み型ケースを展開した本体ケース１１の表面には、文字入力キー１４ａ、辞書指定キー１４ｂ、「登録」キー１４ｃ、「メモ」キー１４ｄ、「△（ページ戻し）」キー１４ｅ１、「▽（ページ送り）」キー１４ｅ２、カーソルキー「↑」１４ｆ１，「↓」１４ｆ２，「←」１４ｆ３，「→」１４ｆ４などを設けたキー入力部１４、および手書き入力部（サブ画面）１５が備えられる。
【００１８】
この手書き入力部（サブ画面）１５は、ユーザがペンや指等でタッチした位置を検出するタッチ位置検出装置と表示装置が一体となった構造であり、キー入力部１４の中央手前側において例えば２５６×６４ドットの液晶表示画面に透明タブレット１５ｔを重ねて構成される。
【００１９】
そして、前記手書き入力部１５に対するユーザの手書き入力に伴う軌跡は、その液晶表示画面にエコーバックして表示される。
【００２０】
また蓋体ケース１２の表面には、そのほぼ全面を対象に例えば４８０×３２０ドットのバックライト付きの液晶表示部（メイン画面）１６が設けられる。
【００２１】
図２は、前記電子辞書装置１０の電子回路の構成を示すブロック図である。
【００２２】
この電子辞書装置１０は、各種の記憶媒体に記録されたプログラム、又は、伝送されたプログラムを読み込んで、その読み込んだプログラムによって動作が制御されるコンピュータによって構成され、その電子回路には、ＣＰＵ(central processing unit)２１が備えられる。
【００２３】
ＣＰＵ２１は、ＲＯＭ（フラッシュメモリ）２２内に予め記憶された装置制御プログラム、あるいはＲＯＭカードなどの外部記憶媒体２３から記憶媒体読み書き部２４を介して前記ＲＯＭ２２に読み込まれた装置制御プログラム、あるいはインターネットＮ上のＷｅｂサーバ（この場合はプログラムサーバ）３０から通信制御部２５を介して前記ＲＯＭ２２に読み込まれた装置制御プログラムに応じて、ＲＡＭ２６に各種の作業データを格納し回路各部の動作を制御する。
【００２４】
前記ＲＯＭ２２に記憶された装置制御プログラムは、キー入力部１４および手書き入力部１５からのユーザ操作に応じた入力信号、あるいは通信制御部２５を介して接続されるインターネットＮ上の各Ｗｅｂサーバ３０…との通信信号、あるいは記憶媒体読み書き部２４を介して外部接続されるＥＥＰＲＯＭ，ＲＡＭ，ＲＯＭなどのメモリ・カード（記憶媒体）２３との接続通信信号に応じて起動される。
【００２５】
前記ＣＰＵ２１には、前記ＲＯＭ２２、記憶媒体読み書き部２４、通信制御部２５、ＲＡＭ２６、キー入力部１４、手書き入力部（サブ画面）１５が接続される他に、表示部（メイン画面）１６などが接続される。
【００２６】
ＲＯＭ２２に記憶される装置制御プログラムとしては、当該電子辞書装置１０の全体の動作を司るシステムプログラムや、通信制御部２５を介してインターネットＮ上の各Ｗｅｂサーバ３０…や図示しないユーザＰＣ(Personal Computer)などとデータ通信するための通信プログラムが記憶される。また、検索文字列（検索後）のキー入力に応じた見出し語（単語）の検索処理や当該検索された見出し語（単語）に対応した各種辞書情報（訳語・意味内容・例文（用例）など）の読み出し表示処理、検索された見出し語（単語）あるいは自作の単語に手書きメモを貼り付けて登録したり当該手書きメモから所望の見出し語（単語）を検索したりするための手書きメモ登録／呼び出し処理など、同ＲＯＭ２２内に記憶された辞書データベース２２Ｄに基づく処理全般を制御するための辞書検索プログラム２２ａも記憶される。
【００２７】
ＲＯＭ２２にはさらに、テキストビューワ機能を実行するためのテキストビューワプログラム２２ｂも記憶される。このテキストビューワ機能の実行に際しては、テキストの表示に伴い当該表示されたテキスト内から前記手書きメモを貼り付けて登録した見出し語（単語）と一致する単語が検索され識別表示される。そして、この識別表示された単語がユーザ操作に応じて指定された場合には、当該指定の単語に一致する見出し語（単語）に貼り付けられた前記手書きメモが読み出されて表示される。
【００２８】
前記辞書データベース２２Ｄが有する複数種類の辞書コンテンツとしては、「英和辞典」「和英辞典」「国語辞典」「漢字辞典」「四字熟語辞典」「百科事典」など、種類の異なる辞書データが予め、あるいはダウンロードされて複数辞書記憶される。
【００２９】
各辞書コンテンツは、それぞれの言語に応じた所定の順番で配列された見出し語（単語）、各見出し語に対応付けられた当該見出し語の訳語・意味内容・例文（用例）などの説明情報などを有している。
【００３０】
ＲＡＭ２６には、手書きメモ登録データ２６ａおよび自作メモ登録データ２６ｂが記憶される。
【００３１】
図３は、前記電子辞書装置１０のＲＡＭ２６に記憶される手書きメモ登録データ２６ａの内容を示す図である。
【００３２】
手書きメモ登録データ２６ａとしては、前記辞書データベース２２Ｄの各辞書コンテンツに含まれるユーザ任意の見出し語（単語）と、当該見出し語に対し貼り付けされた手書き入力部１５による手書きメモＭｍとが、その辞書コンテンツ毎に対応付けられて記憶される。
【００３３】
図４は、前記電子辞書装置１０のＲＡＭ２６に記憶される自作メモ登録データ２６ｂの内容を示す図である。
【００３４】
自作メモ登録データ２６ｂとしては、自作メモ画面Ｇｍ（図７参照）に従いキー入力された自作の単語（検索キー）と、当該自作の単語に対し貼り付けされた手書きメモＭｍｓとが対応付けられて記憶される。
【００３５】
そして、前記キー入力部１４に設けた文字入力キー１４ａは、検索対象としてユーザ選択された辞書コンテンツから所望の見出し語（単語）を検索するための検索文字列（検索語）を入力する場合、前記自作メモ画面Ｇｍ（図７参照）の自作単語（検索キー）入力エリアＡｋに自作の単語を入力する場合など、ユーザ所望の文字列を入力する際に操作される。
【００３６】
また、辞書指定キー１４ｂは、ユーザ任意の辞書を検索対象として指定する際に操作される。
【００３７】
「登録」キー１４ｃは、ユーザ任意の見出し語（単語）や自作の単語に対して、手書き入力された手書きメモＭｍやＭｍｓを貼り付けて登録する際に操作される。
【００３８】
「メモ」キー１４ｄは、前記自作メモ画面Ｇｍ（図７参照）に従い、自作の単語にユーザ任意の手書きメモＭｍｓを貼り付けて登録するためのモードを設定する際に操作される。
【００３９】
「△（ページ戻し）」キー１４ｅ１および「▽（ページ送り）」キー１４ｅ２は、表示部１６に表示されたテキストをスクロールして表示させる際に操作される。
【００４０】
カーソルキー１４ｆ１〜１４ｆ４は、表示画面上で任意のデータ項目を指定するための反転表示Ｈや反転点滅表示Ｈ′（図９参照）の位置を移動させたり、データ入力用のカーソルＣｕの位置を移動させたり、複数の同種データを切り換え表示させたりする際に操作される。
【００４１】
次に、前記構成による電子辞書装置１０の動作について説明する。
【００４２】
（手書きメモ登録機能）
図５は、前記電子辞書装置１０による手書きメモ登録処理を示すフローチャートである。
【００４３】
図６は、前記電子辞書装置１０の手書きメモ登録処理に伴う表示部１６および手書き入力部１５の動作例を示す図である。
【００４４】
キー入力部１４の辞書指定キー１４ｂのユーザ操作に応じて、辞書データベース２２Ｄに記憶されている任意の辞書コンテンツが選択されると、検索文字列の入力画面が表示部１６に表示される（ステップＳ２）。
【００４５】
この検索文字列の入力画面において、文字入力キー１４ａにより検索文字列（検索語）が入力されると（ステップＳ３）、当該検索文字列と先頭一致する見出し語（単語）が前記選択された辞書コンテンツから検索され（ステップＳ４）、この検索された見出し語（単語）と共にその説明情報が表示部１６に表示される（ステップＳ５）。
【００４６】
ここで、例えば図６（Ａ）に示すように、英和辞書に基づき検索されたユーザ所望の見出し語「Adam」とその説明情報が、表示部１６に説明情報表示画面Ｇとして表示された状態で、当該見出し語「Adam」に所望の手書きメモを貼り付けるため、図６（Ｂ）に示すように、手書き入力部１５において、所望のメモ「アダム（人名）」Ｍ１をタッチペンＰにより手書きで入力すると（ステップＳ６（Ｙｅｓ））、その手書きメモＭ１の軌跡がエコーバックして表示される（ステップＳ７）。
【００４７】
そして、キー入力部１４の「登録」キー１４ｃが操作されると（ステップＳ８（Ｙｅｓ））、現在検索表示中の見出し語「Adam」に対して前記手書きメモ「アダム（人名）」Ｍ１を対応付けたデータが手書きメモ登録データ２６ａ（図３参照）としてＲＡＭ２６に登録される（ステップＳ９）。
【００４８】
これにより、辞書検索された所望の見出し語（単語）に所望の手書きメモＭｍを貼り付けて登録管理することができ、この手書きメモＭｍから所望の見出し語（単語）およびその説明情報を検索して表示させることができる。
【００４９】
なお、前記手書きメモ登録データ２６ａ（図３参照）には、１つの見出し語（単語）に対し繰り返して複数の手書きメモＭｍｎを登録することが可能である。
【００５０】
図７は、前記電子辞書装置１０の手書きメモ登録処理に伴い自作メモ画面Ｇｍにて手書きメモを登録する場合の表示部１６の動作例を示す図である。
【００５１】
キー入力部１４の「メモ」キー１４ｄが操作されると（ステップＳ１（Ｙｅｓ））、自作の単語（検索キー）に対して任意の手書きメモを貼り付けて登録するためのモードに設定され、図７（Ａ）に示すような自作メモ画面Ｇｍが表示部１６に表示される（ステップＳ１０）。
【００５２】
この自作メモ画面Ｇｍには、自作の単語（検索キー）の入力エリアＡｋと手書きメモの入力エリアＡｍとが設けられ、モード設定の初期段階では、そのうち自作単語入力エリアＡｋにカーソルＣｕが表示され、入力対象として初期設定される。
【００５３】
ここで、キー入力部１４の文字入力キー１４ａにより自作の単語（例えば「adam」）が入力されると、図７（Ｂ）に示すように、当該キー入力された自作の単語「adam」が自作メモ画面Ｇｍの自作単語入力エリアＡｋに表示される（ステップＳ１１）。すると、前記カーソルＣｕは自作メモ画面Ｇｍの手書きメモ入力エリアＡｍに移動表示され、次の入力対象として設定される。
【００５４】
続いて、手書き入力部１５により前記自作の単語「adam」に貼り付けるべく任意の手書きメモ（例えば「アダム（人名）」）が手書き入力されると、図７（Ｃ）に示すように、当該手書き入力された手書きメモ「アダム（人名）」Ｍ１ｓが自作メモ画面Ｇｍの手書きメモ入力エリアＡｍに表示される（ステップＳ１２）。
【００５５】
そして、キー入力部１４の「登録」キー１４ｃが操作されると（ステップＳ１３（Ｙｅｓ））、前記自作メモ画面Ｇｍに従い入力された自作の単語「adam」と手書きメモ「アダム（人名）」Ｍ１ｓとを対応付けたデータが自作メモ登録データ２６ｂ（図４参照）としてＲＡＭ２６に登録される（ステップＳ１４）。
【００５６】
これにより、ユーザ自作の単語に所望の手書きメモＭｍｓを貼り付けて登録管理することができる。
【００５７】
（テキストビューワ機能）
図８は、前記電子辞書装置１０によるテキストビューワ処理を示すフローチャートである。
【００５８】
図９は、前記電子辞書装置１０のテキストビューワ処理に伴う表示部１６および手書き入力部１５の動作例（その１）を示す図である。
【００５９】
図１０は、前記電子辞書装置１０のテキストビューワ処理に伴う表示部１６および手書き入力部１５の動作例（その２）を示す図である。
【００６０】
ユーザ操作に応じた動作モードの切り換えによりテキストビューワ処理が起動されると、ＲＯＭ２２やＲＡＭ２６に予め記憶されている、あるいは外部記憶媒体２３やＷｅｂサーバ３０から読み込まれた、小説など書籍のテキストファイルの一覧画面が表示部１６に表示される。このテキストファイルの一覧画面に従い、ユーザ所望のテキストファイルが選択決定されると（ステップＴ１）、当該選択されたテキストファイルが読み出され、図９（Ａ）に示すようなテキストビューワ画面Ｇｖとして表示部（メイン画面）１６に表示される（ステップＴ２）。
【００６１】
すると、前記テキストビューワ画面Ｇｖに表示されたテキストにおいて、前記手書きメモ登録データ２６ａ（図３参照）として登録された見出し語（単語）「adam」「have」…や前記自作メモ登録データ２６ｂ（図４参照）として登録された自作の単語「adam」…と一致する単語が検索され（ステップＴ３）、当該一致検索された単語が反転表示Ｈにより識別表示される（ステップＴ４）。
【００６２】
ここで、キー入力部１４の「▽」キー１４ｅ２や「△」キー１４ｅ１が操作されると（ステップＴ５（Ｙｅｓ））、表示部（メイン画面）１６にテキストビューワ画面Ｇｖとして表示されているテキストが、当該キー操作の指示する方向に従いスクロールされて表示される（ステップＴ６）。
【００６３】
するとこのスクロール表示の都度、テキストビューワ画面Ｇｖに表示されたテキストにおいて、前記手書きメモ登録データ２６ａ（図３参照）として登録された見出し語（単語）「adam」「have」…や前記自作メモ登録データ２６ｂ（図４参照）として登録された自作の単語「adam」…と一致する単語が検索され（ステップＴ３）、当該一致検索された単語が反転表示Ｈにより識別表示される（ステップＴ４）。
【００６４】
ここで、例えば図９（Ａ）で示したテキストビューワ画面Ｇｖにおいて、キー入力部１４のカーソルキー「↓」１４ｆ２が操作されると（ステップＴ７（Ｙｅｓ））、当該カーソルキー「↓」１４ｆ２の操作毎に、反転表示Ｈにより識別されている単語「Adam」「have」…を対象として、図９（Ｂ）に示すように、反転点滅表示Ｈ′による単語指定位置が順次更新される（ステップＴ８）。なおここで、前記キー入力部１４のカーソルキー「↑」１４ｆ１が操作されると（ステップＴ７（Ｙｅｓ））、反転点滅表示Ｈ′による単語指定位置は、例えば単語「have」から「Adam」へと逆方向に移動更新される（ステップＴ８）。
【００６５】
そして、前記テキストビューワ画面Ｇｖにおいて、例えば単語「Adam」が反転点滅表示Ｈ′により指定された場合には、当該指定の単語「Adam」と一致する見出し語（単語）（自作単語）に対応付けられて前記手書きメモ登録データ２６ａ（自作メモ登録データ２６ｂ）として登録されている手書きメモ「アダム（人名）」Ｍ１（Ｍ１ｓ）が読み出され、手書き入力部（サブ画面）１５に表示される（ステップＴ９）。
【００６６】
また同様に、次の単語「have」が反転点滅表示Ｈ′により指定された場合には、当該指定の単語「have」と一致する見出し語（単語）に対応付けられて前記手書きメモ登録データ２６ａとして登録されている手書きメモＭ２が読み出され、手書き入力部（サブ画面）１５に表示される（ステップＴ９）。
【００６７】
また、例えば図１０（Ａ）に示すようなテキストビューワ画面Ｇｖにおいて、手書きメモ登録データ２６ａ（図３参照）に登録された見出し語「秋茄子」と一致検索されて反転表示Ｈされた単語「秋茄子」が、前記同様カーソルキー「↓」１４ｆ２の操作に応じた反転点滅表示Ｈ′により指定された場合には、当該指定の単語「秋茄子」と一致する見出し語（単語）に対応付けられて前記手書きメモ登録データ２６ａとして登録されている１番目の手書きメモ「嫁いびり」Ｍ３１が読み出され、手書き入力部（サブ画面）１５に表示される（ステップＴ７〜Ｔ９）。
【００６８】
そして、図１０（Ａ）〜（Ｄ）に示すように、カーソルキー「→」１４ｆ４が操作されると（ステップＳ１０（Ｙｅｓ））、当該キー操作毎に、前記手書きメモ登録データ２６ａとして登録されている２番目の手書きメモ「嫁を思って」Ｍ３２、３番目の手書きメモ「食べごろ」Ｍ３３、４番目の手書きメモ「四季の一つ」Ｍ３４が順次読み出され、手書き入力部（サブ画面）１５に表示される（ステップＴ１１→Ｔ１２）。なおここで、前記キー入力部１４のカーソルキー「←」１４ｆ３が操作されると（ステップＴ１０（Ｙｅｓ））、図１０（Ｄ）〜（Ａ）に示すように、当該キー操作毎に、前記手書きメモ登録データ２６ａとして登録されている３番目の手書きメモ「食べごろ」Ｍ３３、２番目の手書きメモ「嫁を思って」Ｍ３２、１番目の手書きメモ「嫁いびり」Ｍ３１が順次読み出され、手書き入力部（サブ画面）１５に表示される（ステップＴ１１→Ｔ１２）。
【００６９】
したがって、前記構成の電子辞書装置１０による手書きメモ登録機能およびテキストビューワ機能によれば、テキストビューワ画面Ｇｖにおいて、手書きメモ登録データ２６ａとして登録されている見出し語（単語）や自作メモ登録データ２６ｂとして登録されている自作の単語と一致する単語が検索された場合には、当該単語は反転表示Ｈにより識別表示される。そして、カーソルキー「↓」１４ｆ２，「↑」１４ｆ１の操作に応じてそのうち任意の単語を反転点滅表示Ｈ′により指定すると、当該指定の単語に一致する前記見出し語（単語）や自作単語に対応付けられて手書きメモ登録データ２６ａや自作メモ登録データ２６ｂとして登録されている手書きメモＭｍやＭｍｓが読み出され、手書き入力部（サブ画面）１５に表示される。このため、テキストビューワ機能によって小説などの書籍を表示閲覧しているときに、当該表示中のテキストに、過去に手書きメモＭｍ（Ｍｍｓ）を貼り付けた見出し語（単語）と一致する単語があった場合には、その手書きメモＭｍ（Ｍｍｓ）を容易に表示させて参照することができ、テキストビューワをより便利に活用することが可能になる。
【００７０】
また、前記構成の電子辞書装置１０による手書きメモ登録機能およびテキストビューワ機能によれば、カーソルキー「↓」１４ｆ２，「↑」１４ｆ１の操作に応じて指定され反転点滅表示Ｈ′されたテキスト中の単語について、当該指定の単語と一致する見出し語（単語）に複数の手書きメモＭｍｎ…が登録されている場合には、カーソルキー「→」１４ｆ４，「←」１４ｆ３の操作に応じて各手書きメモＭｍｎ…が順次読み出され、手書き入力部（サブ画面）１５に入れ換え表示される。このため、テキストビューワ機能によって小説などの書籍を表示閲覧しているときに、当該表示中のテキストに、過去に複数の手書きメモＭｍｎを貼り付けた見出し語（単語）と一致する単語があった場合には、その複数の手書きメモＭｍｎも容易に表示させて参照することができ、テキストビューワをより便利に活用することが可能になる。
【００７１】
なお、前記実施形態では、表示部（メイン画面）１６にテキストビューワ画面Ｇｖとして表示された単語に対応して、手書きメモ登録データ２６ａあるいは自作メモ登録データ２６ｂから読み出した手書きメモＭｍ（Ｍｍｓ）は、手書き入力部１５に表示させる構成とした。これに対し、次の図１１に示すように、同テキストビューワ画面Ｇｖ内で反転点滅表示Ｈ′させて指定した単語の近傍に、ウインドウＷによって当該単語に対応する手書きメモＭｍを表示させる構成としてもよい。
【００７２】
図１１は、前記電子辞書装置１０のテキストビューワ処理に伴う表示部１６の他の動作例を示す図である。
【００７３】
例えば図１１（Ａ）で示したテキストビューワ画面Ｇｖにおいて、キー入力部１４のカーソルキー「↓」１４ｆ２が操作されると（ステップＴ７（Ｙｅｓ））、当該カーソルキー「↓」１４ｆ２の操作毎に、反転表示Ｈにより識別されている単語「God」「Adam」…を対象として、図１１（Ｂ）に示すように、反転点滅表示Ｈ′による単語指定位置が順次更新される（ステップＴ８）。
【００７４】
そして、前記テキストビューワ画面Ｇｖにおいて、例えば単語「God」が反転点滅表示Ｈ′により指定された場合には、当該指定の単語「God」と一致する見出し語（単語）（あるいは自作単語）に対応付けられて前記手書きメモ登録データ２６ａ（自作メモ登録データ２６ｂ）として登録されている手書きメモ「神様…」Ｍ０が読み出され、同テキストビューワ画面Ｇｖ内のウインドウＷに表示される（ステップＴ９）。
【００７５】
また同様に、図１１（Ｃ）に示すように、次の単語「Adam」が反転点滅表示Ｈ′により指定された場合には、当該指定の単語「Adam」と一致する見出し語（単語）（あるいは自作単語）に対応付けられて前記手書きメモ登録データ２６ａ（自作メモ登録データ２６ｂ）として登録されている手書きメモ「アダム（人名）」Ｍ１が読み出され、同テキストビューワ画面Ｇｖ内のウインドウＷに表示される（ステップＴ９）。
【００７６】
なお、前記実施形態において記載した電子辞書装置１０による各処理の手法、すなわち、辞書データベースを用いた図５のフローチャートに示す手書きメモ登録処理、図８のフローチャートに示すテキストビューワ処理などの各手法は、何れもコンピュータに実行させることができるプログラムとして、メモリ・カード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記憶媒体２３に格納して配布することができる。そして、手書き入力部１５を有する電子装置（１０）のコンピュータは、この外部記憶媒体２３に記憶された辞書データ及びプログラムを記憶装置（２２）に読み込み、この読み込んだプログラムによって動作が制御されることにより、前記実施形態において説明した手書きメモの登録／呼び出しを伴うテキストビューワ機能を実現し、前述した手法による同様の処理を実行することができる。
【００７７】
また、前記各手法を実現するためのプログラム及びデータは、プログラムコードの形態としてネットワークＮ上を伝送させることができ、このプログラム及びデータを、ネットワークＮに接続された手書き入力部１５を有する電子装置（１０）のコンピュータに通信制御部２５によって取り込むことで、前述した手書きメモの登録／呼び出しを伴うテキストビューワ機能を実現することもできる。
【００７８】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【図面の簡単な説明】
【００７９】
【図１】本発明の実施形態に係る電子辞書装置１０の外観構成を示す正面図。
【図２】前記電子辞書装置１０の電子回路の構成を示すブロック図。
【図３】前記電子辞書装置１０のＲＡＭ２６に記憶される手書きメモ登録データ２６ａの内容を示す図。
【図４】前記電子辞書装置１０のＲＡＭ２６に記憶される自作メモ登録データ２６ｂの内容を示す図。
【図５】前記電子辞書装置１０による手書きメモ登録処理を示すフローチャート。
【図６】前記電子辞書装置１０の手書きメモ登録処理に伴う表示部１６および手書き入力部１５の動作例を示す図。
【図７】前記電子辞書装置１０の手書きメモ登録処理に伴い自作メモ画面Ｇｍにて手書きメモを登録する場合の表示部１６の動作例を示す図。
【図８】前記電子辞書装置１０によるテキストビューワ処理を示すフローチャート。
【図９】前記電子辞書装置１０のテキストビューワ処理に伴う表示部１６および手書き入力部１５の動作例（その１）を示す図。
【図１０】前記電子辞書装置１０のテキストビューワ処理に伴う表示部１６および手書き入力部１５の動作例（その２）を示す図。
【図１１】前記電子辞書装置１０のテキストビューワ処理に伴う表示部１６の他の動作例を示す図。
【符号の説明】
【００８０】
１０  …電子辞書装置
１１  …本体ケース
１２  …蓋体ケース
１３  …ヒンジ部
１４  …キー入力部
１４ａ…文字入力キー
１４ｂ…辞書指定キー
１４ｃ…「登録」キー
１４ｄ…「メモ」キー
１４ｅ１…「△（ページ戻し）」キー
１４ｅ２…「▽（ページ送り）」キー
１４ｆ１〜１４ｆ４…カーソルキー
１５  …手書き入力部（サブ画面）
１５ｔ…透明タブレット
１６  …液晶表示部（メイン画面）
２１  …ＣＰＵ
２２  …ＲＯＭ
２２Ｄ…辞書データベース
２２ａ…辞書検索プログラム
２２ｂ…テキストビューワプログラム
２３  …外部記憶媒体
２４  …記憶媒体読み書き部
２５  …通信制御部
２６  …ＲＡＭ
２６ａ…手書きメモ登録データ
２６ｂ…自作メモ登録データ
３０  …Ｗｅｂサーバ
Ｍｍ（Ｍｍｓ）…手書きメモ
Ｍｍｎ…複数の手書きメモ
Ｇ    …説明情報表示画面
Ｇｍ  …自作メモ画面
Ａｋ  …自作単語（検索キー）入力エリア
Ａｍ  …手書きメモ入力エリア
Ｃｕ  …カーソル
Ｇｖ  …テキストビューワ画面
Ｈ    …反転表示
Ｈ′  …反転点滅表示
Ｗ    …ウインドウ
【図１】
2010102394.tif 000003
【図２】
2010102394.tif 000004
【図３】
2010102394.tif 000005
【図４】
2010102394.tif 000006
【図５】
2010102394.tif 000007
【図６】
2010102394.tif 000008
【図７】
2010102394.tif 000009
【図８】
2010102394.tif 000010
【図９】
2010102394.tif 000011
【図１０】
2010102394.tif 000012
【図１１】
2010102394.tif 000013